(57)【要約】【課題】  コンクリート構造物に形成される溝状の目地に嵌合し、目地部における止水を行うために、ジッパー係合溝が設けられた長尺の弾性本体と、ジッパー係合溝に装入されるジッパーとを有する止水用シール材において、ジッパー係合溝へのジッパー装入が容易に行え、弾性本体外側部に設けた止水リブによる止水作用が効果的にもたらされるようにすること。【解決手段】ジッパー係合溝１１ａを、ジッパー差込口１１ａ１と、このジッパー差込口の幅寸法よりも大きい幅寸法を有するジッパー収容部１１ａ２を有するものとし、前記ジッパー１２は、前記ジッパー差込口と略同じかそれよりも小さい幅にて前記ジッパー差込口を通過して前記ジッパー収容部内へ装入され、前記ジッパー収容部内で拡幅されるようにする。【選択図】  図１
2006104895.tif 000002
【特許請求の範囲】
【請求項１】
コンクリート構造物の亀裂発生部を削って形成されるか、或いはコンクリート構造物の継ぎ目部に形成される溝状の目地に嵌合するように形成され、前記目地の延伸方向に相当する方向に延伸するジッパー係合溝が設けられた長尺の弾性本体と、前記目地内に嵌装された前記弾性本体のジッパー係合溝内に装入され、この装入により前記弾性本体の幅員を拡大するように作用するジッパーとを有する止水用シール材において、
前記ジッパー係合溝は、ジッパー差込口と、このジッパー差込口の幅寸法よりも大きい幅寸法を有するジッパー収容部を有しており、
前記ジッパーは、前記ジッパー差込口と略同じかそれよりも小さい幅にて前記ジッパー差込口を通過して前記ジッパー収容部内へ装入され、前記ジッパー収容部内で拡幅される部材であること、を特徴とする止水用シール材。
【請求項２】
前記ジッパーが、前記ジッパー係合溝の底面に対向する端面からジッパー内部へ切れ込み且つジッパー長手方向へ延伸する切込みを有し、
前記ジッパーを前記ジッパー係合溝へ装入する際に前記切込みに尖端部が係合し、前記ジッパー係合溝内への前記ジッパーの装入進行過程で前記切込みの内部へ前記尖端部を先にして進入せしめられ、前記ジッパーの幅員をジッパー装入方向先端側から順次拡大させる楔片が、前記ジッパーと前記弾性本体との間に介装されていること、を特徴とする請求項１に記載の止水用シール材。
【請求項３】
前記ジッパー係合溝が、横断面で見てジッパー係合溝の差込口から内奥へ向かって広がった状態の略台形状を有し、
前記ジッパーが、横断面で見て略四角形であること、を特徴とする請求項１叉は２に記載の止水用シール材。
【請求項４】
前記ジッパー係合溝がその底部の幅方向中央部にジッパー係合溝に沿って延伸する溝孔を有しており、前記楔片の基端部が前記溝孔によって定置されること、を特徴とする請求項１〜３の何れか１つに記載の止水用シール材。
【請求項５】
前記ジッパーが、前記差込口と略同じ幅寸法に圧縮可能であり、前記ジッパー収容部内に装入された後、内部に注入される加圧材料により膨張し、拡幅する弾性的管体を有していることを特徴とする請求項１に記載の止水用シール材。
【請求項６】
コンクリート構造物の亀裂発生部を削って形成されるか、或いはコンクリート構造物の継ぎ目部に形成される溝状の目地に嵌合するように形成され、前記目地の延伸方向に相当する方向に延伸するジッパー係合溝を有し、更に外側部にジッパー係合溝と同方向へ延伸する止水リブが形成されている長尺の弾性本体と、前記目地内に嵌装された前記弾性本体のジッパー係合溝に装入され、前記弾性本体の幅員を拡大するように作用するジッパーとを有し、前記ジッパー係合溝はジッパー差込口と、その内奥のジッパー収容部とを有している止水用シール材を使用し、
前記目地の側面に接着剤を塗布した後、前記弾性本体を前記目地内に嵌入し、
前記接着剤の硬化後に、前記ジッパーを、前記ジッパー差込口の幅寸法と略同じか、それよりも小さい寸法にて該ジッパー差込口からジッパー収容部内へ装入し、
次いで、前記ジッパー収容部内のジッパーを拡幅し、その拡幅によって前記弾性本体を拡幅し、目地側壁とジッパーとの間の前記弾性本体に残留応力を発現させること、を特徴とする止水方法。
【請求項７】
前記ジッパー差込口の幅寸法がジッパー収容部の幅寸法よりも小さいジッパー係合溝を有する弾性本体と、前記ジッパー差込口と略同じか、それよりも小さい幅寸法を有し、横断面が略四角形のジッパーとを使用し、
前記接着剤の硬化後に前記ジッパーを前記ジッパー差込口からジッパー収容部内へ装入する過程で、前記ジッパー収容部内に入ったジッパー部分を、このジッパー部分にその差込み方向先端側から楔片を差し込むことによって拡幅し、この拡幅によって前記弾性本体を拡幅すること、を特徴とする請求項６に記載の止水方法。
【請求項８】
前記ジッパー差込口の幅寸法がジッパー収容部の幅寸法よりも小さいジッパー係合溝を有する弾性本体と、前記ジッパー差込口の幅寸法よりも小さい幅寸法に縮小可能の弾性的管体より成るジッパーとを使用し、
前記接着剤の硬化後に前記弾性的ジッパー管体を前記ジッパー差込口の幅寸法よりも小さい幅寸法に縮小してジッパー差込口からジッパー収容部内へ装入し、
前記ジッパー収容部内のジッパー管体の密封孔内に内圧付与材を注入して該ジッパー管体を拡径し、この拡径によって前記弾性本体を拡幅し、目地側壁とジッパーとの間の前記弾性本体に残留応力を発現させること、を特徴とする請求項６に記載の止水方法。
【発明の詳細な説明】
【技術分野】
【０００１】
本発明は、漏水対策用の、特にトンネル等覆工コンクリート構造物の漏水対策用の止水用シール材に関する。
【背景技術】
【０００２】
一般にトンネル等コンクリート構造物は、年月を経ると亀裂が生じて漏水が生じ、その被害が大きな問題となっている。また、コンクリート構造物の継ぎ目部には目地が形成されるが、この目地は漏水が生じないよう処理されなければならない。従って、漏水防止を目的とした工事が多く行われている。
【０００３】
このような漏水防止目的に使用される止水用シール材として下記特許文献１に示されているものが提案されている。この止水用シール材は、コンクリート構造物の亀裂発生部を削って形成した溝状の目地に嵌め込まれ、この目地を埋めるように形成される弾性本体と、前記弾性本体に長手方向に形成されたジッパー係合溝に装入されるジッパーとを有している。前記ジッパーは、弾性材本体が溝状目地内に嵌めこまれた後、前記ジッパー係合溝に圧入され、それにより弾性本体を側方へ押し広げ、弾性本体外側部に形成した止水リブを目地の側壁面に押圧して止水効果を高めるように作用する。
【０００４】
上記従来の止水用シール材のジッパーは、横断面で見ると丸頭部と台形基部が結合した形状を有し、丸頭部と台形基部との間には括れ部が設けられている。一方、上記弾性本体に形成されたジッパー係合溝は、前記ジッパーの丸頭部の嵌入溝を内奥側に有し、前記台形基部の収容スペースをジッパー装入用差込口側に有しており、前記嵌入溝と台形基部収容スペースは狭幅の間隙によって連通している。
【０００５】
前記ジッパー係合溝にジッパーを嵌合させるには、前記ジッパーの丸頭部を前記差込口に当て、前記台形基部後方から圧力を加える。この圧力によって前記丸頭部は前記狭幅間隙を押し開き、そこを通過して前記丸頭部嵌入溝に入り込む。同時に、前記ジッパーの括れ部は前記狭幅間隙に係合し、前記台形基部は前記台形基部収容スペース内に納まる。
【０００６】
横断面で見て、前記丸頭部嵌入溝は前記ジッパー丸頭部に比較して小径となされているので、前記ジッパー丸頭部が前記嵌入溝に装入したとき、前記弾性本体は側方へ押し広げられた状態になり、従って弾性本体側壁部に形成した止水リブは目地の側壁面に押圧され止水効果をもたらす。また、前記狭幅間隙は前記ジッパー丸頭部が前記嵌入溝から離脱するのを阻止する。
【０００７】
【特許文献１】特開２００２−１９４３３２号公報
【発明の開示】
【発明が解決しようとする課題】
【０００８】
しかしながら、上記従来の止水用シール材の構成によると、前記ジッパー丸頭部を前記嵌入溝内へ押し込む際、前記ジッパー丸頭部によって前記狭幅間隙を押し広げてこれを通過させなければならないため、前記ジッパーにはかなりの打込み力または押圧力を加える必要があり、従って作業性が悪いという問題があり、また前記ジッパー丸頭部が前記狭幅間隙を通過する時点で前記シール材の弾性本体の拡幅は最大限になり、通過後には弾性本体幅員の若干の縮小が生じるため、その分止水効果が低下するという問題がある。
【０００９】
そこで本発明は、上記ジッパー係合溝へのジッパー装入が大きな打込み力或いは押圧力を必要とせずに達成可能であり、しかもシール材弾性本体の拡幅が拡幅過程で幅員縮小を伴うことなく効果的に行われるように構成した止水用シール材及びこの止水用シール材使用する止水方法を提供することを目的とするものである。
【課題を解決するための手段】
【００１０】
上記目的を達成するために、本発明のうち請求項１に記載の発明は、コンクリート構造物の亀裂発生部を削って形成されるか、或いはコンクリート構造物の継ぎ目部に形成される溝状の目地に嵌合するように形成され、前記目地の延伸方向に相当する方向に延伸するジッパー係合溝が設けられた長尺の弾性本体と、前記目地内に嵌装された前記弾性本体のジッパー係合溝内に装入され、この装入により前記弾性本体の幅員を拡大するように作用するジッパーとを有する止水用シール材において、前記ジッパー係合溝は、ジッパー差込口と、このジッパー差込口の幅寸法よりも大きい幅寸法を有するジッパー収容部を有しており、前記ジッパーは、前記ジッパー差込口と略同じかそれよりも小さい幅にて前記ジッパー差込口を通過して前記ジッパー収容部内へ装入され、前記ジッパー収容部内で拡幅される部材であることを特徴とする。
【００１１】
請求項１に記載の発明によると、前記ジッパーを前記ジッパー係合溝へ装入する際、前記差込口を押し広げることなく推進できるのでジッパーの装入作業が極めて容易になり、また前記ジッパーは前記ジッパー係合溝内で拡幅せしめられ、その拡幅動作が効率よく前記弾性本体に及ぼされ、止水効果を高める作用をもたらす。
【００１２】
請求項２に記載の発明は、前記ジッパーが、前記ジッパー係合溝の底面に対向する端面からジッパー内部へ切れ込み且つジッパー長手方向へ延伸する切込みを有し、前記ジッパーを前記ジッパー係合溝へ装入する際に前記切込みに尖端部が係合し、前記ジッパー係合溝内への前記ジッパーの装入進行過程で前記切込みの内部へ前記尖端部を先にして進入せしめられ、前記ジッパーの幅員をジッパー装入方向先端側から順次拡大させる楔片が、前記ジッパーと前記弾性本体との間に介装されていることを特徴とする。
【００１３】
請求項２に記載の発明によると、前記ジッパーは前記ジッパー係合溝への装入が進むに従って、前記楔片の作用により拡幅し、それにより前記弾性本体の幅員の漸増的拡大をもたらすが、その際、前記ジッパーは、その差込方向先端側の一部が前記ジッパー係合孔の差込口に差し込まれた後、その先端が前記ジッパー係合溝底部に接近するにつれて次第に拡幅することになり、このことは前記ジッパー係合溝の当初の溝幅がジッパーの当初の幅と大差ない状態になっていることを可能にし、従って前記ジッパー係合溝へのジッパーの装入を比較的小さな押圧力で円滑に行うことができる。更に、ジッパーの拡幅が、ジッパー係合溝差込口側よりも前記ジッパー係合溝底部側において大きくなることによって、ジッパー装入完了後における前記ジッパー係合溝からのジッパー脱離を確実に防止できる。
【００１４】
請求項３に記載の発明は、前記ジッパー係合溝が、横断面で見てジッパー係合溝の差込口から内奥へ向かって広がった状態の略台形状を有し、前記ジッパーが、横断面で見て略四角形であることを特徴とする。
【００１５】
請求項３に記載の発明によると、前記ジッパーの当初の幅寸法を前記ジッパー係合溝差込口の当初の幅寸法と略同等にしておくことにより、前記ジッパー係合溝への前記ジッパーの装入が比較的小さな押圧力で円滑に達成でき、装入が進むにつれて前記ジッパーは前記楔片の作用により次第に拡幅するが、その際ジッパーは前記楔片の作用により横断面で見て略台形に変形され、前記台形ジッパー係合溝の側面と密着する状態になるので、ジッパーの拡幅が効果的に前記弾性本体に及ぼされる。しかも、装入完了の時点で、前記ジッパー係合溝とジッパーとは、横断面で見て、ジッパー係合溝の底部側が下底となり、ジッパー係合溝の差込口側が上底となる台形を形成して相互に密着するので、前記ジッパーは前記ジッパー係合溝内に確実に保持される。
【００１６】
請求項４に記載の発明は、前記ジッパー係合溝がその底部の幅方向中央部にジッパー係合溝に沿って延伸する溝孔を有しており、前記楔片の基端部が前記溝孔によって定置されることを特徴とする。
【００１７】
請求項４に記載の発明によると、前記ジッパー係合溝の底部の幅方向中央部にジッパー係合溝に沿って延伸する溝孔が前記弾性本体の拡幅を助成し、従って弾性本体拡幅のためにジッパーへ与えられるべき押圧力が低減可能であり、また前記楔片の基端部が前記溝孔によって保持されるようになされていることによって、前記楔片の基端部位置が固定され、楔片によるジッパー拡幅作用が確実にもたらされる。
【００１８】
請求項５に記載の発明は、前記ジッパーが、前記差込口と略同じ幅寸法に圧縮可能であり、前記ジッパー収容部内に装入された後、内部に注入される加圧材料により膨張し、拡幅する弾性的管体を有していることを特徴とする。
【００１９】
請求項５に記載の発明によると、前記差込口からの前記弾性的管体の装入が極めて容易に行えると共に、前記弾性的管体内に注入される材料の量、或いは該材料に与えられる圧力の大きさ、或いは該材料によってもたらされる圧力の大きさを調整することによって前記弾性本体の拡幅の大きさを調節することができる。
【００２０】
請求項６に記載の発明は、コンクリート構造物の亀裂発生部を削って形成されるか、或いはコンクリート構造物の継ぎ目部に形成される溝状の目地に嵌合するように形成され、前記目地の延伸方向に相当する方向に延伸するジッパー係合溝を有し、更に外側部にジッパー係合溝と同方向へ延伸する止水リブが形成されている長尺の弾性本体と、前記目地内に嵌装された前記弾性本体のジッパー係合溝に装入され、前記弾性本体の幅員を拡大するように作用するジッパーとを有し、前記ジッパー係合溝はジッパー差込口と、その内奥のジッパー収容部とを有している止水用シール材を使用する止水方法であって、前記目地の側面に接着剤を塗布した後、前記弾性本体を前記目地内に嵌入し、前記接着剤の硬化後に、前記ジッパーを、前記ジッパー差込口の幅寸法と略同じか、それよりも小さい寸法にて該ジッパー差込口からジッパー収容部内へ装入し次いで、前記ジッパー収容部内のジッパーを拡幅し、その拡幅によって前記弾性本体を拡幅し、目地側壁とジッパーとの間の前記弾性本体に残留応力を発現させることを特徴とする。
【００２１】
請求項７に記載の発明は、請求項６に記載の止水方法において、前記ジッパー差込口の幅寸法がジッパー収容部の幅寸法よりも小さいジッパー係合溝を有する弾性本体と、前記ジッパー差込口と略同じか、それよりも小さい幅寸法を有し、横断面が略四角形のジッパーとを使用し、前記接着剤の硬化後に前記ジッパーを前記ジッパー差込口からジッパー収容部内へ装入する過程で、前記ジッパー収容部内に入ったジッパー部分を、このジッパー部分にその差込み方向先端側から楔片を差し込むことによって拡幅し、この拡幅によって前記弾性本体を拡幅することを特徴とする。
【００２２】
請求項８に記載の発明は、請求項６に記載の止水方法において、前記ジッパー差込口の幅寸法がジッパー収容部の幅寸法よりも小さいジッパー係合溝を有する弾性本体と、前記ジッパー差込口の幅寸法よりも小さい幅寸法に縮小可能の弾性的管体より成るジッパーとを使用し、前記接着剤の硬化後に前記弾性的ジッパー管体を前記ジッパー差込口の幅寸法よりも小さい幅寸法に縮小してジッパー差込口からジッパー収容部内へ装入し、前記ジッパー収容部内のジッパー管体の密封孔内に内圧付与材を注入して該ジッパー管体を拡径し、この拡径によって前記弾性本体を拡幅し、目地側壁とジッパーとの間の前記弾性本体に残留応力を発現させることを特徴とする。
【発明の効果】
【００２３】
本発明は、前記コンクリート構造物の亀裂発生部を削って形成されるか、或いはコンクリート構造物の継ぎ目部に形成される溝状の目地を止水用シール材によって止水処理する場合に、目地内への止水用シール材の取付け作業が極めて容易になり、更にシール材による止水作用を向上させることができる。
【発明を実施するための最良の形態】
【００２４】
以下、本発明の実施の形態を図によって詳細に説明する。
【００２５】
図１は、コンクリート構造物躯体Ａ及び、このコンクリート構造物躯体Ａに形成された目地Ｂに装入される本発明による止水用シール材１０をそれぞれ部分的に斜視図にて示すものである。図示の目地Ｂは２つのコンクリート躯体Ａ１，Ａ２の間の継ぎ目部に設けた横断面四角形の目地である場合を示している。この目地は、覆工コンクリート構造物の躯体Ａに発生した亀裂に沿ってハツリにより形成する場合もある。
【００２６】
［止水用シール材の第１の実施形態］
図１に示すように、止水用シール材１０は、クロロプレンゴム或いはＥＰＣＭ製の弾性本体１１と、同じくクロロプレンゴム或いはＥＰＣＭ製のジッパー１２と、プラスチック製の楔片１３とを有している。これら部材は他の適当な材料で製作してもよい。例えば、弾性本体１１及びジッパー１２はエチレンプロピレンゴム（ＥＰＭ）製であってもよい。
【００２７】
弾性本体１１は目地Ｂに装入可能な寸法を有する長尺な部材であって、その内部に弾性本体長手方向に延伸するジッパー係合溝１１ａが設けられ、このジッパー係合溝１１ａを設けたことによって生じる側壁１１ｂの外側部には、前記長手方向へ伸延する止水リブ１１ｃが形成されている。止水リブ１１ｃは片側に数段に亙って設けた場合が示されているが、その段数は必要に応じて増減可能である。
【００２８】
ジッパー係合溝１１ａは差込口１１ａ１から内奥へ向かって幾分末広がり状の略台形状横断面を有するジッパー収容部１１ａ２を有している。
【００２９】
ジッパー係合溝１１ａには、その底面１１ａ３の幅方向中央部に上記長手方向へ伸延する溝孔１１ａ４が形成されており、この溝孔１１ａ４は上記の弾性本体側壁１１ｂが下記のようなジッパー１２と楔片１３による作用を受けた場合に外側方へ偏倚することを助成する。
【００３０】
上記ジッパー１２は上記弾性本体１１と同長であって、横断面で見て実質的に略四角形に形成されている。ジッパー１２の高さ寸法はジッパー係合溝１１ａの深さ寸法に合わせられており、幅寸法は上記差込口１１ａ１の幅寸法と略同じになされている。
【００３１】
上記ジッパー１２には、このジッパーを上記ジッパー係合溝１１ａに装入したときに上記底面１１ａ３に対向する端面１２ａから反対側の端面へ向けて切り込まれ且つ上記長手方向へ延伸する切込み１２ｂが幅方向の中央部に設けられている。この切込み１２ｂの切込み深さはジッパー１２の高さ寸法の半分以上であることが好ましい。
【００３２】
上記楔片１３は上記ジッパー１２と同長であり、その先鋭部分を先にして上記切込み１２ｂに部分的にまたは全体的に差し込まれるようになされている。楔片１３の幅寸法は、切込み１２ｂに差し込まれた際、ジッパー１２を所要量拡幅するように選定されている。
【００３３】
［実施形態１の止水用シール材を用いた止水方法］
図２〜図４は目地Ｂに止水用シール材１０を設置するための施工手順を示している。
【００３４】
最初に図２に示すように、コンクリート躯体に形成された目地Ｂに、弾性本体１１がその差込口１１ａ１を目地Ｂの開放側に向けて嵌装されるが、この嵌装に先立って目地Ｂの壁面に接着剤Ｃを塗付しておく。嵌装時、止水リブ１１ｃは弾性本体１１の弾性により目地Ｂの壁面に押し付けられ、変形した状態になる。
【００３５】
次いで、図３に示すように、ジッパー１２がジッパー係合溝１１ａの差込口１１ａ１に仮差込みされるが、この差し込みに先立って、ジッパーの切込み１２ｂに楔片１３の尖端側の一部が差し込まれ、ジッパー１２と楔片１３とが一体化される。この時点での切込み１２ｂへの楔片１３の差し込みは、それによるジッパー１２の拡幅が僅少であるようになされる。
【００３６】
上記接着剤の硬化後に、楔片１３を保持したジッパー１２が弾性本体の差込口１１ａ１からジッパー収容部１１ａ２の内奥部へ打ち込まれる。楔片１３の底部が溝孔１１ａ４に達するまではジッパー１２の幅寸法は変化せず、従ってジッパー１２及び差込口１１ａ１の幅が相互に略等しくされていれば、ジッパー収容部１１ａ２内へのジッパー１２の打ち込みは、大きな打ち込み力を要することなく容易に行い得る。
【００３７】
楔片１３の底部が溝孔１１ａ４に達した後、ジッパー１２を更に打ち込むことにより、楔片１３は次第に切込み１２ｂ内の内奥へ進入し、それに伴いジッパー１２は次第に拡幅する。弾性本体側壁１１ｂは拡幅するジッパー１２により目地Ｂの壁面に向う方向へ偏倚する力を及ぼされ、それによって止水リブ１１ｃは更に強く目地壁面に押し付けられる。
【００３８】
図４に示すように、ジッパー１２の差込方向先端がジッパー係合溝１１ａの底面１１ａ４に衝合した時点でジッパー１２は最大限に拡幅され、従って弾性本体側壁１１ｂを目地壁面方向へ最大限に偏倚させるように作用する。止水リブ１１ｃを有する弾性本体側壁１１ｂはそのような偏倚作用を受けるにも拘わらず、目地壁面によって動きを拘束されるため圧縮状態になり、それによって生じる残留応力（内部応力）はジッパー１２に発生する残留応力（内部応力）と共に止水リブ１１ｃを強力に目地壁面に圧接する作用をもたらす。
【００３９】
ジッパー１２の主体部は楔片１３の作用により最終的に横断面が台形の状態になり、ジッパー収容部１１ａ２の横断面が、上記のように差込口１１ａ１側から内奥へ向かって広がった状態の略台形を呈していることにより、ジッパー１２とジッパー収容部１１ａ２とは輪郭的に整合し、この結果上記差込口１１ａ１が最も狭幅となるので、ジッパー収容部１１ａ２からのジッパー１２の脱離が防止される。
【００４０】
［止水用シール材の第２の実施形態］
図５〜図８に示す第２の実施形態による止水用シール材２０は、クロロプレンゴム或いはＥＰＣＭ製の弾性本体２１とジッパー２２を有する。図５に示すように、弾性本体２１は第１の実施形態の弾性本体１１と外形的に略同じ形状を有しているが、弾性本体２１に形成されたジッパー係合溝２１ａのジッパー収容部２１ａ２は、弾性本体１１の場合と異なり、横断面が円形、卵形、楕円形叉はそれに近い形状に形成され、卵形、楕円形の場合には、その短径が弾性本体２１の側壁２１ｂの方向となるように設けられている。図示のように、ジッパー係合溝２１ａの差込口２１ａ１の幅寸法は、ジッパー収容部１１ａ２の直径叉は短径より小さくなされる。
【００４１】
ジッパー２２は、図５に示すようなホース或いはチューブなどの管体２２ａを有しており、この管体２２ａは例えばゴム或いはプラスチックなど伸縮可能な材料で製作され、その内部には気体、液体などの流体、或いは発泡材などが注入可能であり、これら流体の加圧注入、或いは注入発泡材の発泡作用によって膨張し、拡径するようになされている。
【００４２】
上記流体として、セメントミルクやゴム系ラテックスを使用してもよい。これら材料は管体２２ａ内に適切な圧力で充填され、管体２２ａを拡幅した状態で硬化する。
【００４３】
［実施形態２の止水用シール材を用いた止水方法］
先ず、実施形態１の止水用シール材を用いた止水方法と同様に、コンクリート躯体に形成された目地Ｂの壁面に接着剤Ｃが塗付され、弾性本体２１がその差込口２１ａ１を目地Ｂの開放側に向けた状態で目地Ｂ内に嵌装される。図示の目地Ｂの場合も、図１の場合と同様、２つのコンクリート躯体Ａ１，Ａ２の間の継ぎ目部に設けた場合を示している。
【００４４】
次いで、図６に示すように、押しつぶされて縮径された管体２２ａが差込口２１ａ１からジッパー収容部２１ａ２内へ装入され、図７に示すようにジッパー収容部２１ａ２内に延伸した状態で配置される。
【００４５】
目地壁面に塗布された上記接着剤の硬化後、図８に示すように、ジッパー収容部２１ａ２中の管体２２ａ内に発泡剤２２ｂが加圧注入され、この発泡剤を発泡させることにより管体２２ａを膨張させ、拡径させる。この拡径によって弾性本体２１の側壁２１ｂの側方への偏倚をもたらし、この側壁内に残留応力を発現させる。発泡剤の固化後、管体２２ａは拡径状態に維持されるので、爾後、側壁２１ｂにおける残留応力は常時止水リブ２１ｃに作用し、止水リブ２１ｃによる確実な止水作用を持続する。セメントミルクを使用した場合も、固化後は発泡剤と同様の残留応力発現効果を得ることができる。
【００４６】
管体２２ａの拡径を上記の流体を使用して行う場合、流体圧を調整して側壁２１ｂに好ましい残留応力を発現させるようにすることが可能であり、また爾後適時に流体圧を調整して残留応力を適当な値に維持することが可能である。
【図面の簡単な説明】
【００４７】
【図１】本発明による止水用シール材の第１実施形態を示す部分的斜視図である。
【図２】図１の止水用シール材を使用する目地止水処理工程の初期段階における、目地と止水用シール材構成部材の横断面図である。
【図３】図２の工程に続く目地止水処理工程の中途段階における止水用シール材構成部材の相互関係を示す横断面図である。
【図４】図３の工程に続く目地止水処理終了時における止水用シール材の横断面図である。
【図５】本発明による止水用シール材の第２実施形態を示す部分的斜視図である。
【図６】本発明の第２実施形態による止水用シール材を使用する目地止水処理工程の初期段階における、目地と止水用シール材構成部材の横断面図である。
【図７】図６の初期段階に続く中途段階における止水用シール材構成部材の相互関係を示す横断面図である。
【図８】図７の工程に続くジッパー形成工程並びに目地止水処理終了時における状態の止水用シール材の横断面図である。
【符号の説明】
【００４８】
１０  止水用シール材
１１  弾性本体
１１ａ  ジッパー係合溝
１１ａ１  差込口
１１ａ２  ジッパー収容部
１１ａ３  底面
１１ａ４  溝孔
１１ｂ  弾性本体側壁
１１ｃ  止水リブ
１２  ジッパー
１２ａ  突出縁部
１２ｂ  端面
１２ｂ  切込み
１３  楔片
２０  止水用シール材
２１  弾性本体
２１ａ  ジッパー係合溝
２１ａ１  差込口
２１ａ２  ジッパー収容部
２１ａ３  溝孔
２１ｂ  側壁
２１ｃ  止水リブ
２２ａ  管体
２２ｂ  発泡剤
Ａ１，Ａ２  コンクリート躯体
Ｂ  目地
Ｃ  接着剤
【図１】
2006104895.tif 000003
【図２】
2006104895.tif 000004
【図３】
2006104895.tif 000005
【図４】
2006104895.tif 000006
【図５】
2006104895.tif 000007
【図６】
2006104895.tif 000008
【図７】
2006104895.tif 000009
【図８】
2006104895.tif 000010
【手続補正書】
【提出日】平成16年10月12日(2004.10.12)
【手続補正２】
【補正対象書類名】明細書
【補正対象項目名】０００１
【補正方法】変更
【補正の内容】
【０００１】
本発明は、漏水対策用の、特にトンネル等覆工コンクリート構造物の漏水対策用の止水用シール材およびこのシール材を使用する止水方法に関する。
【手続補正３】
【補正対象書類名】図面
【補正対象項目名】図２
【補正方法】変更
【補正の内容】
【図２】
2006104895.tif 000011